(57)【要約】【課題】ユーザの使用状態に応じてきめ細かな省電力化が可能な光学機器を提供する。【解決手段】光学機器（１００）は、接眼光学系（１０５）と、接眼光学系に対する接眼状態を検知する検知手段（１１６）と、像振れ補正を行う防振手段（１１４、１１５、１１７）と、防振手段を制御する制御手段（２００）とを有し、制御手段（２００）は、検知手段（１１６）が接眼状態を検知したか否かに基づいて、防振手段（１１４、１１５、１１７）の制御状態を切り替える。【選択図】図１
2020098261.tif 000002
【特許請求の範囲】
【請求項１】
接眼光学系と、
前記接眼光学系に対する接眼状態を検知する検知手段と、
像振れ補正を行う防振手段と、
前記防振手段を制御する制御手段とを有し、
前記制御手段は、前記検知手段が前記接眼状態を検知したか否かに基づいて、前記防振手段の制御状態を切り替えることを特徴とする光学機器。
【請求項２】
前記制御状態は、前記防振手段の動作状態または停止状態であることを特徴とする請求項１に記載の光学機器。
【請求項３】
前記制御手段は、
前記検知手段が前記接眼状態を検知した場合、前記防振手段を動作させ、
前記検知手段が前記接眼状態を検知しない場合、前記防振手段を停止させることを特徴とする請求項１または２に記載の光学機器。
【請求項４】
電源状態を第一の電源状態と第二の電源状態との間で切り替え可能な電源スイッチを更に有し、
前記制御手段は、
前記第一の電源状態において前記電源スイッチが操作された場合、電源状態を第二の電源状態に切り替え、
前記第二の電源状態において前記検知手段が前記接眼状態を検知した場合、前記電源状態を第三の電源状態に切り替えることを特徴とする請求項１乃至３のいずれか１項に記載の光学機器。
【請求項５】
前記第一の電源状態の消費電力は、前記第二の電源状態よりも小さく、
前記第三の電源状態の消費電力は、前記第二の電源状態よりも大きいことを特徴とする請求項４に記載の光学機器。
【請求項６】
前記第一の電源状態は、前記電源スイッチがオフしている状態であり、
前記第二の電源状態は、前記検知手段が動作しており、かつ前記防振手段が停止している状態であり、
前記第三の電源状態は、前記検知手段および前記防振手段が動作している状態であることを特徴とする請求項４または５に記載の光学機器。
【請求項７】
前記制御手段は、前記第二の電源状態において、所定時間、前記検知手段が前記接眼状態を検知しない場合、前記電源状態を前記第二の電源状態から前記第一の電源状態に切り替えることを特徴とする請求項４乃至６のいずれか１項に記載の光学機器。
【請求項８】
前記制御手段は、前記第三の電源状態において、所定時間、前記検知手段が前記接眼状態を検知しない場合、前記電源状態を前記第三の電源状態から前記第二の電源状態に切り替えることを特徴とする請求項４乃至７のいずれか１項に記載の光学機器。
【請求項９】
前記接眼光学系は、第一の接眼光学系および第二の接眼光学系を有し、
前記防振手段は、
前記第一の接眼光学系により形成される第一の被写体像の像振れ補正を行う第一の防振手段と、
前記第二の接眼光学系により形成される第二の被写体像の像振れ補正を行う第二の防振手段とを有し、
前記検知手段は、
前記第一の接眼光学系に対する接眼状態を検知する第一の検知手段と、
前記第二の接眼光学系に対する接眼状態を検知する第二の検知手段とを有し、
前記制御手段は、
前記第一の検知手段が接眼状態を検知したか否かに基づいて前記第一の防振手段を制御し、
前記第二の検知手段が接眼状態を検知したか否かに基づいて前記第二の防振手段を制御することを特徴とする請求項１乃至８のいずれか１項に記載の光学機器。
【請求項１０】
接眼光学系と、前記接眼光学系に対する接眼状態を検知する検知手段と、像振れ補正を行う防振手段とを有する光学機器の制御方法であって、
前記検知手段が前記接眼状態を検知したか否かを判定するステップと、
前記検知手段が前記接眼状態を検知したか否かに基づいて前記防振手段の制御状態を切り替えるステップとを有することを特徴とする光学機器の制御方法。
【発明の詳細な説明】
【技術分野】
【０００１】
本発明は、手振れ補正機能を有する光学機器に関する。
【背景技術】
【０００２】
従来、手振れ補正機能を有する光学機器において、ユーザが意図しない間にも手振れ補正が行われて電力を浪費してしまう可能性があった。特許文献１には、手振れ補正機能を有する光学機器において、光学機器の向きが下向きであると検知された場合、手振れ補正機能を停止することにより省電力化を実現する光学機器が開示されている。
【先行技術文献】
【特許文献】
【０００３】
【特許文献１】特開２００６−１９５３７５号公報
【発明の概要】
【発明が解決しようとする課題】
【０００４】
しかしながら、特許文献１に開示された光学機器では、光学機器の向きが下向きでない状態で電源スイッチが押された場合、手振れ補正機能が常に動作して電力が浪費される。その結果、ユーザの使用状態に応じてきめ細かな省電力化を実現することができない。
【０００５】
そこで本発明は、ユーザの使用状態に応じてきめ細かな省電力化を実現可能な光学機器および光学機器の制御方法を提供することを目的とする。
【課題を解決するための手段】
【０００６】
本発明の一側面としての光学機器は、接眼光学系と、前記接眼光学系に対する接眼状態を検知する検知手段と、像振れ補正を行う防振手段と、前記防振手段を制御する制御手段とを有し、前記制御手段は、前記検知手段が前記接眼状態を検知したか否かに基づいて、前記防振手段の制御状態を切り替える。
【０００７】
本発明の他の側面としての光学機器の制御方法は、接眼光学系と、前記接眼光学系に対する接眼状態を検知する検知手段と、像振れ補正を行う防振手段とを有する光学機器の制御方法であって、前記検知手段が前記接眼状態を検知したか否かを判定するステップと、前記検知手段が前記接眼状態を検知したか否かに基づいて前記防振手段の制御状態を切り替えるステップとを有する。
【０００８】
本発明の他の目的及び特徴は、以下の実施形態において説明される。
【発明の効果】
【０００９】
本発明によれば、ユーザの使用状態に応じてきめ細かな省電力化を実現可能な光学機器および光学機器の制御方法を提供することができる。
【図面の簡単な説明】
【００１０】
【図１】第１の実施形態における光学機器のブロック図である。
【図２】第１の実施形態における光学機器の動作を示すフローチャートである。
【図３】第２の実施形態における光学機器のブロック図である。
【図４】第２の実施形態における光学機器の動作を示すフローチャートである。
【発明を実施するための形態】
【００１１】
以下、本発明の実施形態について、図面を参照しながら詳細に説明する。
【００１２】
（第１の実施形態）
まず、図１を参照して、本発明の第１の実施形態における双眼鏡（光学機器）１００の光学系および電気系の構成について説明する。図１は、双眼鏡１００のブロック図である。双眼鏡１００は、手振れ補正機能を有する。なお各実施形態は、光学機器として双眼鏡を例として説明するが、本発明はこれに限定されるものではなく、双眼鏡以外の光学機器にも適用可能である。
【００１３】
双眼鏡１００の内部には、被観察体から光軸ＯＡに沿って、対物光学系１０１、フォーカス群１０２、像振れ補正光学系１０３、光学プリズム１０４、および、接眼光学系（接眼レンズ）１０５が配列されている。フォーカス群１０２は、ダイヤル１１０を回動させることで、スクリュー部材１１１に成形されたネジ部とレンズ保持枠１１２に沿って光軸方向に移動し、焦点を調整することを可能としている。
【００１４】
双眼鏡１００は、制御部２００を有する。制御部２００は、マイクロプロセッサを有するＣＰＵ２０１、電源部２０２、および、バッテリー２０３を備えて構成される。制御部２００は、電源スイッチ（切替手段）１２２、ジャイロセンサ（角速度検出手段）１１３、ドライバ（駆動手段）１１４、位置検出部１１５、および、接眼センサ（検知手段）１１６と接続されている。電源スイッチ１２２は、双眼鏡１００の作動状態と停止状態とを切り替える。ジャイロセンサ１１３は、角速度を検出する。ドライバ１１４は、像振れ補正装置を駆動する。位置検出部１１５は、像振れ補正光学系１０３の位置を検出する。
【００１５】
バッテリー２０３は、電源部２０２に電力を供給する。電源部２０２は、不図示の昇圧ＤＣＤＣコンバータおよびレギュレータを備えて構成され、制御系電源部２０２ａおよび駆動系電源部２０２ｂを有する。制御系電源部２０２ａは、ＣＰＵ２０１、ジャイロセンサ１１３、ドライバ１１４、位置検出部１１５、接眼センサ１１６、および、加速度センサ１１８等に電源を供給する。駆動系電源部２０２ｂは、主に像振れ補正装置を駆動させるための電源であり、制御系電源部２０２ａよりも大きな電力が供給可能である。なお位置検出部１１５は、ホールセンサに代表される磁気センサ等、位置を検出可能であればその種類は問わない。接眼センサ１１６は、例えば静電容量型や赤外線を用いた近接センサ等であり、出力の変化に基づいて接眼されているか否かを検出可能であれば種類は問わない。
【００１６】
像振れ補正装置は、像振れ補正光学系１０３をピッチ方向およびヨー方向に駆動するボイスコイルモータ１１７、ボイスコイルモータ１１７に電力を供給するドライバ１１４、および、像振れ補正光学系１０３の位置を検出する位置検出部１１５を備えて構成される。ＣＰＵ２０１は、ジャイロセンサ１１３から出力されるピッチ方向およびヨー方向の角速度情報と位置検出部１１５から出力される位置情報とに基づいて、像振れ補正光学系１０３の目標位置を演算する。像振れ補正光学系１０３は、ＣＰＵ２０１により演算された目標位置（演算結果）に基づいてドライバ１１４に対して制御命令を与えることにより、ボイスコイルモータ１１７を駆動する。像振れ補正光学系１０３は、ボイスコイルモータ１１７の駆動により、ユーザの手振れを補正するように動作する。
【００１７】
次に、図２を参照して、本実施形態における双眼鏡１００の動作について説明する。図２は、双眼鏡１００の動作を示すフローチャートである。図２の各ステップは、主に、ＣＰＵ２０１を含む制御部２００により実行される。
【００１８】
まずステップＳ１０１において、双眼鏡１００の電源状態は、初期状態である第一の電源状態（スリープ状態）にある。第一の電源状態は、双眼鏡１００が電力を消費しないモードに設定されている状態であり、ＣＰＵ２０１等の電気部品に電力が供給されていない。続いてステップＳ１０２において、制御部２００は、ユーザにより電源スイッチ１２２が押されたか否かを判定する。電源スイッチ１２２が押されていない場合、ステップＳ１０２を繰り返す。一方、電源スイッチ１２２が押された場合、ステップＳ１０３に進む。
【００１９】
ステップＳ１０３において、制御部２００は、双眼鏡１００の電源状態を、第一の電源状態から第二の電源状態へ切り替える。第二の電源状態は、電源部２０２のうち制御系電源部２０２ａのみに電力が供給されている状態である。このため接眼センサ１１６は、制御系電源部２０２ａから電力が供給される。一方、電源部２０２のうち駆動系電源部２０２ｂには電力が供給されていないため、駆動系電源部２０２ｂは停止している。
【００２０】
続いてステップＳ１０４において、ＣＰＵ２０１は、接眼センサ１１６の状態を監視し、接眼センサ１１６が接眼（接眼状態）を検知しているか否かを判定する。ここで接眼状態とは、ユーザの眼が接眼光学系１０５に厳密に接している状態に限定されるものではなく、ユーザの眼が接眼光学系１０５に近接していると判定される状態を含む意味である。例えば、接眼センサ１１６は、検知信号と所定の閾値とを比較して接眼状態を検知することができる。
【００２１】
接眼センサ１１６が接眼を検知している場合、ステップＳ１０５に進む。一方、接眼センサ１１６が接眼を検知していない場合、ステップＳ１０９に進む。ステップＳ１０９において、ＣＰＵ２０１は、一定時間が経過したか否か（タイムアウトか否か）を判定する。一定時間が経過していない場合、ステップＳ１０４に戻る。一方、一定時間が経過した場合、ステップＳ１１０に進む。ステップＳ１１０において、ＣＰＵ２０１は、双眼鏡１００の電源状態を第二の電源状態から第一の電源状態（スリープ状態、初期状態）に切り替え、ステップＳ１０２に戻る。
【００２２】
ステップＳ１０４にて接眼センサ１１６が接眼を検知した場合、ステップＳ１０５において、ＣＰＵ２０１は、双眼鏡１００の電源状態を第二の電源状態から第三の電源状態に切り替える。第三の電源状態は、制御系電源部２０２ａおよび駆動系電源部２０２ｂの両方が電力を供給している状態であり、像振れ補正装置が動作して防振機能が働いている状態（防振動作がオンしている状態、すなわち動作状態）である。
【００２３】
続いてステップＳ１０６において、ＣＰＵ２０１は、接眼センサ１１６の状態を監視し、接眼センサ１１６が接眼を検知しているか否かを判定する。接眼センサ１１６が接眼を検知している場合、ステップＳ１０６を繰り返す。一方、接眼センサ１１６が接眼を検知していない場合、ステップＳ１０７に進む。ステップＳ１０７において、ＣＰＵ２０１は、一定時間が経過したか否か（タイムアウトか否か）を判定する。一定時間が経過していない場合、ステップＳ１０６に戻る。一方、一定時間が経過した場合、ステップＳ１０８に進む。ステップＳ１０８において、ＣＰＵ２０１は、双眼鏡１００の電源状態を第三の電源状態から第二の電源状態（防振動作がオフしている状態、すなわち停止状態）に切り替え、ステップＳ１０４に戻る。
【００２４】
本実施形態の双眼鏡１００によれば、接眼センサ１１６の状態に応じて（接眼を検知しているか否かに応じて）、電源状態を切り替えることにより、ユーザの使用状態に応じてきめ細かな省電力化が可能となる。なお、双眼鏡１００の電源状態は、第一の電源状態、第二の電源状態、第三の電源状態の順に消費電力は大きい。すなわち、第一の電源状態をＰ１、第二の電源状態をＰ２、第三の電源状態をＰ３とするとき、Ｐ１＜Ｐ２＜Ｐ３が成立する。
【００２５】
（第２の実施形態）
次に、図３を参照して、本発明の第２の実施形態における双眼鏡（光学機器）１００ａの光学系および電気系の構成について説明する。図３は、双眼鏡１００ａのブロック図である。双眼鏡１００ａは、第１の実施形態の双眼鏡１００と同様に、手振れ補正機能を有する。
【００２６】
双眼鏡は両目で被観察体を視認するため、光学系は左右２組存在する。第１の実施形態では、簡易的に光学系の片方のみを説明に用いたが、本実施形態では実際の双眼鏡の通り光学系を２組に分けて説明する。なお本実施形態において、第１の実施形態と共通の説明については省略し、左右２組存在する部位については、符号の末尾に右側光学系に関して「Ｒ」および左側光学系に関して「Ｌ」を付加している。
【００２７】
光学系は、被観察体から光軸ＯＡに沿って、対物光学系１０１Ｒ、１０１Ｌ、フォーカス群１０２Ｒ、１０２Ｌ、像振れ補正光学系１０３Ｒ、１０３Ｌ、光学プリズム１０４Ｒ、１０４Ｌ、接眼光学系１０５Ｒ、１０５Ｌが順に配置されている。フォーカス群１０２Ｒ、１０２Ｌは、レンズ保持枠１１２により一体的に保持され、ダイヤル１１０を回動させることにより、スクリュー部材１１１に成形されたネジ部とレンズ保持枠１１２に沿って光軸方向に移動し、焦点を調整可能である。
【００２８】
電気系において、像振れ補正光学系１０３Ｒ、１０３Ｌはそれぞれ独立して構成されており、対応するボイスコイルモータ１１７Ｒ、１１７Ｌおよびドライバ１１４Ｒ、１１４Ｌにより駆動される。像振れ補正光学系１０３Ｒ、１０３Ｌの位置検出部１１５Ｒ、１１５Ｌ、および、接眼センサ１１６Ｒ、１１６Ｌはそれぞれ、左右で分かれて設けられている。
【００２９】
次に、図４を参照して、本実施形態における双眼鏡１００ａの動作について説明する。図４は、双眼鏡１００ａの動作を示すフローチャートである。図４の各ステップは、主に、ＣＰＵ２０１を含む制御部２００により実行される。なお本実施形態において、第一の電源状態、第二の電源状態、および、第三の電源状態はそれぞれ、第一の実施形態と同様である。
【００３０】
まずステップＳ２０１において、双眼鏡１００ａの電源状態は、初期状態である第一の電源状態（スリープ状態）にある。続いてステップＳ２０２において、制御部２００は、ユーザにより電源スイッチ１２２が押されたか否かを判定する。電源スイッチ１２２が押されていない場合、ステップＳ２０２を繰り返す。一方、電源スイッチ１２２が押された場合、ステップＳ２０３に進む。
【００３１】
ステップＳ２０３において、制御部２００は、双眼鏡１００ａの電源状態を、第一の電源状態から第二の電源状態へ切り替える。続いてステップＳ２０４において、ＣＰＵ２０１は、接眼センサ１１６Ｒ、１１６Ｌの状態を監視し、接眼センサ１１６Ｒ、１１６Ｌの少なくとも一方が接眼を検知しているか否かを判定する。接眼センサ１１６Ｒ、１１６Ｌの少なくとも一方が接眼を検知している場合、ステップＳ２０５に進む。一方、接眼センサ１１６Ｒ、１１６Ｌのいずれも接眼を検知していない場合、ステップＳ２１０に進む。ステップＳ２１０において、ＣＰＵ２０１は、一定時間が経過したか否か（タイムアウトか否か）を判定する。一定時間が経過していない場合、ステップＳ２０４に戻る。一方、一定時間が経過した場合、ステップＳ２１１に進む。ステップＳ２１１において、ＣＰＵ２０１は、双眼鏡１００ａの電源状態を第二の電源状態から第一の電源状態（スリープ状態、初期状態）に切り替え、ステップＳ２０２に戻る。
【００３２】
ステップＳ２０４にて接眼センサ１１６Ｒ、１１６Ｌの少なくとも一方が接眼を検知した場合、ステップＳ２０５において、ＣＰＵ２０１は、双眼鏡１００ａの電源状態を第二の電源状態から第三の電源状態に切り替える。
【００３３】
続いてステップＳ２０６において、ＣＰＵ２０１は、接眼センサ１１６Ｌの状態を監視し、接眼センサ１１６Ｌが接眼（左目用の接眼光学系１０５Ｌに接眼していること）を検知しているか否かを判定する。接眼センサ１１６Ｌが接眼を検知している場合、ステップＳ２０７に進む。ステップＳ２０７において、ＣＰＵ２０１は、左目用の像振れ補正装置の動作を開始する（左目の防振動作をオンにする）。なお、既に左目の防振動作がオンしている場合、ＣＰＵ２０１はその状態を継続する。一方、ステップＳ２０６にて接眼センサ１１６Ｌが接眼を検知していない場合、ステップＳ２１４に進み、左目用の像振れ補正装置の動作を停止させる（左目の防振動作をオフにする）。なお、既に左目の防振動作がオフの場合、ＣＰＵ２０１はその状態を継続する。
【００３４】
ステップＳ２０８において、ＣＰＵ２０１は、接眼センサ１１６Ｒの状態を監視し、接眼センサ１１６Ｒが接眼（右目用の接眼光学系１０５Ｒに接眼していること）を検知しているか否かを判定する。接眼センサ１１６Ｒが接眼を検知している場合、ステップＳ２０９に進む。ステップＳ２０９において、ＣＰＵ２０１は、右目用の像振れ補正装置の動作を開始する（右目の防振動作をオンにする）。なお、既に右目の防振動作がオンしている場合、ＣＰＵ２０１はその状態を継続する。一方、ステップＳ２０８にて接眼センサ１１６Ｒが接眼を検知していない場合、ステップＳ２１５に進み、右目用の像振れ補正装置の動作を停止させる（右目の防振動作をオフにする）。なお、既に右目の防振動作がオフの場合、ＣＰＵ２０１はその状態を継続する。
【００３５】
ステップＳ２１６において、ＣＰＵ２０１は、接眼センサ１１６Ｌの状態を監視し、接眼センサ１１６Ｌが接眼（左目用の接眼光学系１０５Ｌに接眼していること）を検知しているか否かを判定する。接眼センサ１１６Ｌが接眼を検知している場合、ステップＳ２０７に進む。一方、ステップＳ２１６にて接眼センサ１１６Ｌが接眼を検知していない場合、Ｓ２１２に進む。
【００３６】
ステップＳ２１２において、ＣＰＵ２０１は、一定時間が経過したか否か（タイムアウトか否か）を判定する。ここでいう一定時間とは、接眼センサ１１６Ｒと接眼センサ１１６Ｌが両方とも接眼を検知しない場合の時間である。一定時間が経過していない場合、ステップＳ２０６に戻る。一方、一定時間が経過した場合、ステップＳ２１３に進む。ステップＳ２１３において、ＣＰＵ２０１は、双眼鏡１００ａの電源状態を第三の電源状態から第二の電源状態（防振動作がオフしている状態）に切り替え、ステップＳ２０４に戻る。
【００３７】
本実施形態の双眼鏡１００ａによれば、左右の２つの像振れ補正装置のうち、接眼している方の像振れ補正装置のみを動作させることができ、より省電力化が可能となる。
【００３８】
このように各実施形態において、光学機器（双眼鏡１００、１００ａ）は、接眼光学系１０５、検知手段（接眼センサ１１６）、防振手段（ドライバ１１４、位置検出部１１５、ボイスコイルモータ１１７）、および、制御手段（制御部２００）を有する。検知手段は、接眼光学系に対する接眼状態を検知する。防振手段は、像振れ補正を行う。制御手段は、防振手段を制御する。また制御手段は、検知手段が接眼状態を検知したか否かに基づいて、防振手段の制御状態を切り替える。
【００３９】
好ましくは、制御状態は、記防振手段の動作状態または停止状態である。また好ましくは、制御手段は、検知手段が接眼状態を検知した場合、防振手段を動作させる。一方、制御手段は、検知手段が接眼状態を検知しない場合、防振手段を停止させる。ここで、防振手段を停止させるとは、防振手段の電源をオフにすることに限定されるものではなく、防振手段の電源をオンにした状態で制御手段が防振手段に停止信号を出力して防振手段が動作しないように制御することを含む。
【００４０】
好ましくは、光学機器は、電源状態を第一の電源状態と第二の電源状態との間で切り替え可能な電源スイッチ（１２２）を有する。制御手段は、第一の電源状態において電源スイッチが操作された場合、電源状態を第二の電源状態に切り替る。また制御手段は、第二の電源状態において検知手段が接眼状態を検知した場合、電源状態を第三の電源状態に切り替える。より好ましくは、第一の電源状態の消費電力は、第二の電源状態よりも小さく、第三の電源状態の消費電力は、第二の電源状態よりも大きい。また好ましくは、第一の電源状態は、電源スイッチがオフしている状態であり、第二の電源状態は、検知手段が動作しており、かつ防振手段が停止している状態であり、第三の電源状態は、検知手段および防振手段が動作している状態である。また好ましくは、制御手段は、第二の電源状態において、所定時間、検知手段が接眼状態を検知しない場合、電源状態を第二の電源状態から第一の電源状態に切り替える。また好ましくは、制御手段は、第三の電源状態において、所定時間、検知手段が接眼状態を検知しない場合、電源状態を第三の電源状態から第二の電源状態に切り替える。
【００４１】
好ましくは、光学機器は、第一の光学系（１０１Ｒ、１０２Ｒ、１０３Ｒ、１０４Ｒ）および第二の光学系（１０１Ｌ、１０２Ｌ、１０３Ｌ、１０４Ｌ）を有する。防振手段は、第一の防振手段（１１４Ｒ、１１５Ｒ、１１７Ｒ）および第二の防振手段（１１４Ｌ、１１５Ｌ、１１７Ｌ）を有する。第一の防振手段は、第一の光学系を通過する光路により形成される第一の被写体像の像振れ補正を行い、第二の防振手段は、第二の光学系により形成される第二の被写体像の像振れ補正を行う。接眼光学系は、第一の被写体像を観察するための第一の接眼光学系（１０５Ｒ）と、第二の被写体像を観察するための第二の接眼光学系（１０５Ｌ）とを有する。検知手段は、第一の接眼光学系の第一の接眼状態を検知する第一の検知手段（１１６Ｒ）と、第二の接眼光学系の第二の接眼状態を検知する第二の検知手段（１１６Ｌ）とを有する。制御手段は、第一の検知手段が第一の接眼状態を検知したか否かに基づいて第一の防振手段を制御し、第二の検知手段が第二の接眼状態を検知したか否かに基づいて第二の防振手段を制御する。
【００４２】
各実施形態によれば、ユーザの使用状態に応じてきめ細かな省電力化を実現可能な光学機器および光学機器の制御方法を提供することができる。
【００４３】
以上、本発明の好ましい実施形態について説明したが、本発明はこれらの実施形態に限定されず、その要旨の範囲内で種々の変形及び変更が可能である。
【符号の説明】
【００４４】
１００  双眼鏡（光学機器）
１１４  ドライバ（防振手段）
１１５  位置検出部（防振手段）
１１７  ボイスコイルモータ（防振手段）
１０５  接眼光学系
１１６  接眼センサ（検知手段）
２００  制御部（制御手段）
【図１】
2020098261.tif 000003
【図２】
2020098261.tif 000004
【図３】
2020098261.tif 000005
【図４】
2020098261.tif 000006